(57)【要約】【課題】本に記載されている内容を見るのみでなく音で聞くこともできるようにする。【解決手段】視覚情報部２０および聴覚情報部３０が形成された複数枚のシート状体１１を綴じて本１０を形成する。聴覚情報部３０には光反応素子と電源装置と記憶装置と制御装置と送信装置が配置され、開いたページ１３に配置された光反応素子に光が照射され、光照射量がある閾値以上になれば、上記の電源装置から電力の供給が開始され、制御装置からの命令により、ページ１３の視覚情報部２０の視覚情報に関連する内容が記憶された記憶装置のデータの読み出しが開始され、上記のデータは上記の送信装置から外部の受信装置に送信され、音声として再生される。ページ１３が閉じられると上記の光反応素子に照射される光量が減少し、ある閾値未満になれば、上記の電源装置から供給される電力が減少し、ページ１３に配置された記憶装置のデータの読み出しが停止する。【選択図】図１
2008093889.tif 000002
【特許請求の範囲】
【請求項１】
視覚情報がシート状体に印刷されることにより上記のシート状体に視覚情報部が形成され、さらに上記のシート状体に聴覚情報部が形成され、上記のシート状体が複数枚だけ綴じられることにより本の本体が形成され、上記の聴覚情報部には光反応素子と電源装置と記憶装置と制御装置と送信装置が配置され、上記の本の本体の開かれたページに配置された上記の光反応素子に照射される光量がある閾値以上になると、上記の電源装置から上記の記憶装置と制御装置と送信装置とに電力が供給され、上記の制御装置からの命令により、上記の開かれたページの視覚情報部の視覚情報に関連する内容が記憶された上記の記憶装置に記憶されているデータの読み出しが開始され、上記の読み出されたデータは上記の送信装置から外部の音声再生できる受信装置に送信され、音声として再生され、さらに、上記の開かれたページが閉じられることにより上記の光反応素子に照射される光量が減少し、ある閾値未満になれば、上記の電源装置から供給される電力が減少し、上記のページに配置された記憶装置に記憶されているデータの読み出しが停止されることを特徴とする本。
【請求項２】
請求項１記載の本であって、
上記の光反応素子および電源装置の代わりに太陽電池を備え、上記の本の本体の開いたページに配置された太陽電池に照射される光量がある閾値以上になれば、上記の太陽電池から上記の記憶装置と制御装置と送信装置とに電力が供給され、上記のページの記憶装置に記憶されているデータの読み出しが開始され、上記のページが閉じることにより上記の太陽電池に照射される光量が減少しある閾値未満になれば、上記の太陽電池から供給される電力が減少し、上記のページの記憶装置に記憶されているデータの読み出しが停止することを特徴とする本。
【請求項３】
請求項１または２記載の本であって、
上記のシート状体のうち本の本体の表紙の内面あるいは背表紙の内面となる部分において、聴覚情報部の記憶装置に本の本体の内容に関するメタ情報がデータとして記憶されるとともに、視覚情報部に上記のメタ情報が印刷されていることを特徴とする本。
【請求項４】
請求項１から３までのいずれかに記載の本であって、
上記の受信装置が携帯電話であることを特徴とする本。
【請求項５】
請求項１に記載の本であって、
上記の電源装置は、外部から送信された電磁波を受信して、受信した電磁波から交流電圧を得て、この交流電圧から電源装置の出力電圧となる直流電圧を得るものであることを特徴とする本。
【請求項６】
請求項１から５までに記載の本の製造方法であって、
インプリント技術およびナノインプリント技術およびインクジェット技術の少なくとも一つの技術を適用することにより、上記の視覚情報部と聴覚情報部の少なくとも一部を上記のシート状体に配置することを特徴とする本の製造方法。
【発明の詳細な説明】
【技術分野】
【０００１】
本発明は、音の出る本およびその製造方法に関し、特に、本に記載されている内容を見るのみでなく音声で聞くこともできる技術に関するものである。
【背景技術】
【０００２】
従来、本は専ら文字、図等が印刷された紙を綴じて形成したものである（例えば特許文献１参照）。
また、近年発達している電子ブックは、携帯可能な電子表示装置であり、記録媒体に予め記憶された本の文字及び画像等を表示画面に表示することができるものである（例えば特許文献２参照）。このため、本を読む感覚で文字情報や画像情報を閲覧することができる。
【特許文献１】実公平８−１１０６号公報
【特許文献２】特開２００６−１１３３４５号公報
【発明の開示】
【発明が解決しようとする課題】
【０００３】
しかし、上述の従来例の本では、情報を視覚的に表示するものであるので、本の情報の内容を音声で聞くことはできなかった。
そこで、本発明が解決しようとする課題は、本に記載されている内容を見るのみでなく音声で聞くこともできる音の出る本およびその製造方法を提供することである。
【課題を解決するための手段】
【０００４】
上記課題を解決するため、請求項１記載の発明は、視覚情報がシート状体に印刷されることにより上記のシート状体に視覚情報部が形成され、さらに上記のシート状体に聴覚情報部が形成され、上記のシート状体が複数枚だけ綴じられることにより本の本体が形成され、上記の聴覚情報部には光反応素子と電源装置と記憶装置と制御装置と送信装置が配置され、上記の本の本体の開かれたページに配置された上記の光反応素子に照射される光量がある閾値以上になると、上記の電源装置から上記の記憶装置と制御装置と送信装置とに電力が供給され、上記の制御装置からの命令により、上記の開かれたページの視覚情報部の視覚情報に関連する内容が記憶された上記の記憶装置に記憶されているデータの読み出しが開始され、上記の読み出されたデータは上記の送信装置から外部の音声再生できる受信装置に送信され、音声として再生され、さらに、上記の開かれたページが閉じられることにより上記の光反応素子に照射される光量が減少し、ある閾値未満になれば、上記の電源装置から供給される電力が減少し、上記のページに配置された記憶装置に記憶されているデータの読み出しが停止されることを特徴とする本である。
請求項１記載の本により、開いたページに配置された光反応素子に光が照射され、光照射量がある閾値以上になれば、上記の聴覚情報部の電源装置から電力の供給が開始され、
上記の制御装置からの命令により、上記の開かれたページの視覚情報部の視覚情報に関連する内容が記憶された上記の記憶装置に記憶されているデータの読み出しが開始され、上記のデータは上記の送信装置から外部の音声再生できる受信装置に送信され、音声として再生され、上記のページが捲られることなどにより閉じることにより上記の光反応素子に照射される光量が減少し、ある閾値未満になれば、上記の電源装置から供給される電力が減少し、上記のページに配置された上記の記憶装置に記憶されたデータの読み出しが停止する。なお、音声再生できる受信装置は上記の送信装置から送信されたデータを受信し、受信したデータから音声を再生できる装置であり、音声再生専用の受信装置のみならず、音声再生専用でなくて他の機能を有する受信装置をも含む。
【０００５】
さらに、請求項２記載の発明は、請求項１記載の本であって、上記の光反応素子および電源装置の代わりに太陽電池を備え、上記の本の本体の開いたページに配置された太陽電池に照射される光量がある閾値以上になれば、上記の太陽電池から上記の記憶装置と制御装置と送信装置とに電力が供給され、上記のページの記憶装置に記憶されているデータの読み出しが開始され、上記のページが閉じることにより上記の太陽電池に照射される光量が減少しある閾値未満になれば、上記の太陽電池から供給される電力が減少し、上記のページに記憶されている記憶装置のデータの読み出しが停止することを特徴とする本である。
請求項２記載の発明により、上記の本の本体の開いたページに配置された太陽電池に光が照射され、光照射量がある閾値以上になれば、上記の太陽電池から電力の供給が開始され、上記の記憶装置のデータの読み出しが開始され、上記のデータは上記の送信装置から外部の音声再生できる受信装置に送信され、音声として再生され、上記のページが閉じることにより上記の太陽電池に照射される光量が減少し、ある閾値未満になれば、上記の太陽電池から供給される電力が減少し、上記のページの内容に対応するデータが記憶された上記の記憶装置のデータの読み出しが停止する。
【０００６】
さらに、請求項３記載の発明は、請求項１または２記載の本であって、上記のシート状体のうち本の本体の表紙の内面あるいは背表紙の内面となる部分において、聴覚情報部の記憶装置に本の本体の内容に関するメタ情報がデータとして記憶されるとともに、視覚情報部に上記のメタ情報が印刷されていることを特徴とする本である。ここで、「メタ情報」は本の本体内の個別の情報を集合化し、抽象化した情報であり、本の題名、本のアブストラクトなどである。
請求項３記載の発明により、本の本体の表紙を開いたときに、本の本体の表紙の内面となる部分の視覚情報部にてメタ情報を見ることができるとともに、本の本体の表紙の内面となる部分の聴覚情報部のメタ情報を外部の音声再生できる受信装置で受信することができる。また、背表紙を開いたときに、本の本体の背表紙の内面となる部分の視覚情報部にてメタ情報を見ることができるとともに、本の本体の背表紙の内面となる部分の聴覚情報部のメタ情報を外部の音声再生できる受信装置で受信することができる。
【０００７】
さらに、請求項４記載の発明は、請求項１から３までのいずれかに記載の本であって、上記の受信装置が携帯電話であることを特徴とする本である。
請求項４記載の発明により、携帯電話を使用して本の聴覚情報部の記憶装置に記憶された内容を音声で聞くことができる。
【０００８】
さらに、請求項５記載の発明は、請求項１に記載の本であって、上記の電源装置は、外部から送信された電磁波を受信して、受信した電磁波から交流電圧を得て、この交流電圧から電源装置の出力電圧となる直流電圧を得るものであることを特徴とする本である。
請求項５記載の発明により、外部から送信された電磁波を受信することにより聴覚情報部の電源装置の出力電圧となる直流電圧を得ることができる。
【０００９】
さらに、請求項６記載の発明は、請求項１から５までに記載の本の製造方法であって、インプリント技術（ｉｍｐｒｉｎｔ  ｐｒｏｃｅｓｓ）およびナノインプリント技術（ｎａｎｏｉｍｐｒｉｎｔ  ｐｒｏｃｅｓｓ）およびインクジェット技術の少なくとも一つの技術を適用することにより上記の視覚情報部と聴覚情報部との少なくとも一部を上記のシート状体に配置することを特徴とする本の製造方法である。
請求項６記載の発明により、インプリント技術およびナノインプリント技術およびインクジェット技術の少なくとも一つの技術を適用することにより、請求項１から５までに記載の本の本体のシート状体に視覚情報部と聴覚情報部の少なくとも一部を印刷して配置することができる。
【発明の効果】
【００１０】
請求項１記載の発明によれば、本の本体の開いたページの視覚情報部の内容を肉眼で見ることができるとともに、本の本体の開いたページの聴覚情報部に記録された視覚情報部の視覚情報に関連した内容を外部の受信装置を使用して音声で聞くことができる。
さらに、請求項２記載の発明によっても、請求項１記載の発明と同様に、本の本体の開いたページの視覚情報部の内容を肉眼で見ることができるとともに、本の本体の開いたページの聴覚情報部に記録された内容を外部の受信装置を使用して音声で聞くことができる。
さらに、請求項３記載の発明によれば、請求項１または２記載の発明の効果とともに、本の本体のメタ情報を外部の受信装置を使用して音声で聞くことができる。
さらに、請求項４記載の発明によれば、請求項１から３までのいずれかに記載の発明の効果とともに、携帯電話を使用して本の本体の内容を音声で聞くことができる。
さらに、請求項５記載の発明によれば、請求項１記載の発明の効果とともに、外部から電磁波により本の本体の聴覚情報部に電源を供給することができる。
さらに、請求項６記載の発明によれば、インプリント技術およびナノインプリント技術およびインクジェット技術の少なくとも一つの技術を使用して請求項１から５までのいずれかに記載の本の本体のシート状体に視覚情報部および聴覚情報部の少なくとも一部分を容易に形成することができる。
【発明を実施するための最良の形態】
【００１１】
以下、本発明における実施の形態を図面に基づいて説明する。
図１は本発明の実施の形態に係る本の本体のページを開いた状態を示し、図２は図１の本の本体の表紙を開いた状態を示し、図３は図１の本の本体の背表紙を開いた状態を示し、図４は図１の本の本体のページの変形例を示し、図５は図1から図４までの本の本体の聴覚情報部のブロック図を示し、図６は図５の変形例を示し、図７は前記聴覚情報部の太陽電池の特性を示し、図８は図５および図６の聴覚情報部の電源装置の一例を示す。さらに、図９は音声再生できる受信装置を示す。
【００１２】
本１は図１の本の本体１０と図９の受信装置４０とを備えている。図１に示すように、本の本体１０は複数のシート状体１１を綴じ部１２で綴じることにより形成されている。シート状体１１は、例えば紙、プラスチックフィルムなどである。プラスチックフィルムは紙よりも薄くでき紙よりも強度が高く、かつリサイクル可能である。
本の本体１０の各ページ１３には視覚情報部２０および聴覚情報部３０が形成されている。なお、視覚情報部２０はシート状体１１に視覚情報を印刷することにより形成されている。
また、図４に示すように、本の本体１０ａのページ１３ａに視覚情報部２０ａおよび聴覚情報部３０ａを形成してもよい。視覚情報部２０ａは図１の視覚情報部２０の変形例であり、聴覚情報部３０ａは図１の聴覚情報部３０の変形例である。視覚情報部２０ａの面積は聴覚情報部３０ａの面積よりの小さく形成されている。
【００１３】
図５に示すように、聴覚情報部３０には光反応素子３１、電源装置３２、記憶装置３４、制御装置３５および送信装置３６が配置されている。
開いたページ１３（図１参照）に配置された光反応素子３１に光が照射され、光照射量がある閾値以上になれば、光電効果により光反応素子３１が導通状態になり（スイッチ機能を有する。）、電源装置３２から光反応素子３１を経由して記憶装置３４、制御装置３５および送信装置３６に電力の供給が開始され、制御装置３５からの命令により、上記の開かれたページ１３の視覚情報部２０の視覚情報に関連する内容が記憶された記憶装置３４に記憶されているデータ（デジタルデータ）の読み出しが開始され、上記のデータは送信装置３６のアンテナから外部の音声再生できる受信装置４０（図９参照）に送信され、音声として再生される。なお、送信装置３６の送信方法は電波による方法である。
具体的には、制御装置３５が可動状態になると記憶装置３４に記憶されたデータを読み出して、送信装置３６に転送する命令を実行する。記憶装置３４に記憶されたデータは制御装置３５からの命令により逐次的に送信装置３６においてキャリヤ信号を変調し、変調されたキャリヤ信号は送信装置３６のアンテナから電波として空間に放出される。
上記のページ１３が捲られて上記のページ１３が閉じることにより光反応素子３１に照射される光量が減少し、ある閾値未満になれば、電源装置３２から供給される電力が減少し、上記のページ１３に配置された記憶装置３４に記憶されたデータの読み出しが停止する。
【００１４】
図６に示す聴覚情報部３０ｘは、聴覚情報部３０の変形例である。聴覚情報部３０ｘは
上記の光反応素子３１および電源装置３２の代わりに太陽電池３３を備え、その他の点においては聴覚情報部３０と同じである。なお太陽電池３３は薄膜状であるのでシート状体１１に形成可能である。
上記の本の本体１０の開いたページ１３に配置された太陽電池３３に光が照射され、光照射量がある閾値以上になれば、太陽電池３３から電力の供給が開始される。具体的には、太陽電池３３に光が照射されると、太陽電池３３に起電力が発生する。太陽電池３３の起電力は記憶装置３４と制御装置３５と送信装置３６とに電力を供給する。
そして、上記のページ１３の記憶装置３４に記憶されたデータの読み出しが開始され、上記のデータは送信装置３６から外部の音声再生できる受信装置４０に送信され、音声として再生され、上記のページ１３が捲られて閉じることにより太陽電池３３に照射される光量が減少し、ある閾値未満になれば、太陽電池３３から供給される電力が減少し、上記のページ１３に配置された記憶装置３４に記憶されているデータの読み出しが停止する。
【００１５】
図７は太陽電池３３の特性の一例を示している。図７に示すように、光入力パワーが１平方ｃｍ当たり１００マイクロ・ワットであるならば、１平方ｃｍ当たり約３０マイクロ・アンペアの電流が流れる。したがって、本の本体１０のページ１３に形成された記憶装置３４、制御装置３５および送信装置３６を作動させ、電波を送信することができる。閉じたページ１３の太陽電池３３の電流は約１０マイクロ・アンペア以下になるので、閉じたページ１３の記憶装置３４、制御装置３５および送信装置３６は作動しなくなる。
なお、送信装置３６から送信されるデータの速度は遅いので、制御装置３５のクロック周波数は低速でも充分に機能する。消費電力はクロック周波数に比例するので、太陽電池３３の容量が小さい場合でも本の本体１０として充分に活用することができる。
【００１６】
さらに、図２の本の本体１０の表紙１４の内面１４ａあるいは図３の背表紙１５の内面１５ａにおいて、視覚情報部２０に本の本体１０の内容に関するメタ情報が記載され、さらに、聴覚情報部３０の記憶装置３４（図５参照）に上記のメタ情報がデータとして記憶されている。具体的には、メタ情報は、本の本体１０の題名・著者・出版社、本の本体１０の宣伝、本の本体１０の概要などである。
メタ情報を形成することにより、多くの本の中でその本と同一であることの証明用ＩＤ（ｉｄｅｎｔｉｆｉｃａｔｉｏｎ）が形成されるので、その本が電子的かつ視覚的に検索されることになる。図書館、書店などで多くの本の本体１０を並べて保管する場合には、目的の本の本体１０を探すことが困難な場合がある。しかし、本の本体１０のメタ情報が常時送信装置３６から発信されているようにすれば、受信装置４０は探している本の本体１０であるかどうかの識別が可能となる。このように、電子的に目的の本の本体１０を検索するので、手間がかからず、しかも、高速に目的の本の本体１０を探すことが可能となる。
【００１７】
さらに、外部から送信された電磁波を受信することにより電源装置３２の出力電圧となる直流電圧を得ることができる。具体的には、図８の電源装置３２を使用する。本の本体１０の内部の聴覚情報部３０の電源装置３２はアンテナ３２ａ、コイル３２ｂ、同調用のキャパシタンス３２ｃ、ダイオード３２ｄおよび平滑用のキャパシタンス３２ｅを備えている。アンテナ３２ａが外部から送信された電磁波を受信する。コイル３２ｂとキャパシタンス３２ｃで構成される共振回路は受信した電磁波に共振し、受信した信号の振幅電圧を大きくする。さらに、ダイオ−ド３２ｄとキャパシタンス３２ｅは上記受信した交流電圧を整流して平滑し、直流電圧Ｖとする。この直流電圧Ｖが電源装置３２の出力電圧となり、聴覚情報部３０の電源電圧となる。
【００１８】
なお、インプリント技術およびナノインプリント技術およびインクジェット技術の少なくとも一方の技術を適用することによりシート状体１１への視覚情報部２０と聴覚情報部３０の少なくとも一部を半導体集積回路（電界効果トランジスタ等を含む。）を含む装置として一体化して印刷して配置することができる。
なお、インプリント技術とは印刷原版を製作し、これにインクを塗り、紙やプラスチックなどに押し付けることによりパターンを形成する技術をいう。印刷原版ができると、版画のように原版を何度も使用することができる。使用回数が多いのでパターン形成の価格が安くなる。インクに代わり機能性物質をプラスチックやシリコンの薄い基板にインプリントすることにより積層構造を形成することができる。形成するパターンの大きさがナノ・メータ（ｎｍ；１０のマイナス９乗メータ）になると、この技術をナノインプリントと呼ぶ。すなわち、ナノインプリント技術とは、ナノスケールの凹凸パターンを形成したナノ・スタンプを樹脂薄膜が塗布された基板に押し当てることにより、樹脂薄膜に凹凸を転写する形成加工技術をいう。
ナノインプリント技術を適用することにより、低価格で紙やプラスチック上に集積回路も形成することが可能である。通常のインクとシリコンを液状化してナノインプリント技術を適用すると、紙やプラスチック上に通常の印刷と集積回路を同時に形成することができる。通常の印刷部は本発明の視覚情報部２０となり、集積回路は聴覚情報部３０となる。
従来の集積回路はリソグラフィ（ｌｉｔｈｏｇｒａｈｙ）を適用し、半導体を微細加工することにより集積回路を形成した。本発明の製造技術においては、ナノ領域においてシリコンなどへの微細加工はナノインプリントである。この技術を適用して本の本体１０のページ１３の聴覚情報部３０に集積回路を配置することができる。
なお、「ナノインプリント技術」は１９９５年に米国プリンストン大学のチョウ（Ｃｈｏｕ）教授により開発された。本発明においては、比較的低速動作を行う集積回路がナノインプリント技術を適用して聴覚情報部３０に組み込まれ、視覚情報部２０は通常のインクをインプリントすることにより形成される。
【００１９】
なお、ナノインプリント技術はナノスケールの凹凸パターンを形成したナノ・スタンプを樹脂薄膜が塗布された基板に押し当てて、樹脂薄膜に凹凸パターンを転写する成形加工技術であり、従来の半導体リソグラフィのコア技術である光リソグラフィ、電子線直接描画法に比べて簡便・低コストでナノスケールの加工が可能である。代表的なナノインプリント技術の方式には熱式ナノインプリント方式と光硬化樹脂式ナノインプリント方式がある。なお、熱式ナノインプリント方式は、転写する樹脂材料に熱可塑性樹脂を使用し、ガラス移転温度以上まで加熱することで軟化させた樹脂にナノ・スタンプをプレス転写する技術であり、多様な樹脂材料への転写、大面積への一括転写、高アスペクト比のパターン転写が可能である。
【００２０】
また、インクジェット技術の特徴はピコリットル（ｐｉｃｏ−ｌｉｔｅｒ）オーダーの微小な液滴を正確にデジタル制御できることにより、指定された領域に、指定された量だけ、非接触で正確に配置し、様々なパターンを形成できることである。従来のマスクやスピンコート法によるアナログ的なパターニングや塗布に代わり、必要な部位のみに材料をパターニングできるため、材料の無駄を省くことができる。心臓部のヘッドは非常にコンパクトでかつ小さなエネルギーで駆動できる。これらにより、インクジェット技術は省資源、省エネルギー、省スペースの２１世紀の新しいものづくりの技術として注目されている。
本発明においては、聴覚情報部３０にインクジェット技術を用いて、半導体を形成することにより集積回路を配置し、デバイスの開発期間を短縮し、製造コストを低下させる。なお、視覚情報部２０は紙やプラスチックなどの薄い基板に通常の印刷技術により予め印刷しておき、聴覚情報部３０はインクジェット技術を適用することにより集積回路を配置する。この技術の背景には、シリコンをインク状とし、インクジェット方式で集積回路のパターン化が可能であり、安く半導体や集積回路を形成することができることがある。従来の本の印刷技術と半導体形成をインクジェット方式で行うならば、価格の安い音の出る本１の本体１０を製作することが可能である。
【００２１】
なお、視覚情報部２０は通常印刷で製造可能であり、聴覚情報部３０は集積回路技術を適用して製造されるが、シリコン上での集積回路のように高密度で高速の集積回路を必要としないので、インプリント技術により大きなトランジスタを組み合わせることにより、低速かつ低密度集積回路を適用する場合でも音の出る本１として充分に機能を発揮することができ、比較的安いコストで製造可能である。
なお、送信装置３６の電波を送信するアンテナは導電材料をシート状体１１にインプリント技術を使用して印刷することで製造可能である。
また、好ましくは、視覚情報部２０と聴覚情報部３０が一体化されてインプリント技術もしくはナノインプリント技術による印刷により製造されると、低いコストで製造可能となり好都合であるが、視覚情報部２０と聴覚情報部３０が個別に製造されてもよい。視覚情報部２０は従来の通常印刷により作成されたものと同様であり、本の本体１０の各ページ１３に描かれた図、文章などであり、人の目により視覚的に認識可能である。
なお、視覚情報部２０ａの製造方法は視覚情報部２０の製造方法と同様であり、聴覚情報部３０ａ、３０ｘの製造方法は聴覚情報部３０の製造方法と同様である。
【００２２】
なお、図９に示すように、音声再生できる受信装置４０は、電源４１、アンテナ４２、ＲＦ（Ｒａｄｉｏ  ｆｒｅｑｕｅｎｃｙ）回路４３、制御回路４４、音声合成回路４５およびスピーカー４６を備えている。電源４１は受信装置４０全体の電源である。アンテナ４２が送信装置３６（図６参照）からの電波を受信すると、ＲＦ回路４３が復調すなわち高周波の受信電波からキャリヤ周波数を除去して、聴覚情報に対応するデータ・コードを取り出して、制御回路４４を経由して音声合成回路４５に前記データ・コードが伝送される。音声合成回路４５において、聴覚情報に対応するデータ・コードからアナログ音声が合成されてスピーカー４６から聴覚情報の音声が発生する。
【００２３】
上記構成の本１は以下の動作をする。なお、本の本体１０ａの動作は本の本体１０の動作と同じであるので、その説明を省略する。
開いたページ１３に配置された光反応素子３１に光が照射され、光照射量がある閾値以上になれば、聴覚情報部３０の電源装置３２から電力の供給が開始され、制御装置３５からの命令により、開かれたページ１３の視覚情報部２０の視覚情報に関連する内容が記憶された記憶装置３４に記憶されているデータの読み出しが開始され、上記のデータは送信装置３６から外部の音声再生できる受信装置４０に送信され、音声として再生される。
そして、上記のページ１３が捲られることにより閉じられ光反応素子３１に照射される光量が減少し、ある閾値未満になれば、電源装置３２から供給される電力が減少し、上記のページ１３に配置された記憶装置３４に記憶されたデータの読み出しが停止する。
【００２４】
さらに、上記の本の開いたページ１３に配置された太陽電池３３に光が照射され、光照射量がある閾値以上になれば、太陽電池３３から電力の供給が開始され、上記の開いたページ１３に配置された記憶装置３４に記憶されたデータの読み出しが開始され、上記のデータは送信装置３６から外部の音声再生できる受信装置４０に送信され、音声として再生される。そして、上記の開いたページ１３が捲られて閉じることにより太陽電池３３に照射される光量が減少し、ある閾値未満になれば、太陽電池３３から供給される電力が減少し、上記のページ１３に配置された記憶装置３４に記憶されたデータの読み出しが停止する。
【００２５】
本の本体１０の表紙１４を開いたときに、本の本体１０の表紙１４の内面１４ａとなる部分において視覚情報部２０のメタ情報を見ることができるとともに、聴覚情報部３０のメタ情報を外部の音声再生できる受信装置４０で受信することができる。また、背表紙１５を開いたときに、背表紙１５の内面１５ａとなる部分において視覚情報部２０のメタ情報を見ることができるとともに、聴覚情報部３０のメタ情報を外部の音声再生できる受信装置４０で受信することができる。
【００２６】
さらに、外部から送信された電磁波を受信することにより電源装置３２の出力電圧となる直流電圧を得ることができる。
【００２７】
さらに、インプリント技術およびナノインプリント技術およびインクジェット技術の少なくとも一つの技術を使用して請求項１から５までのいずれかに記載の本の本体１０の視覚情報部２０および聴覚情報部３０の少なくとも一部分を印刷することができる。
【００２８】
なお、上記の実施の形態において、外部から送信された電磁波を受信して電源装置３２の出力直流電圧を得ているが、これに限定されず、電源装置３２として充電可能な電池もしくは乾電池を用いることができる。さらに、交流電源を用いて外部のコイルに交流電流を流し、このコイルに発生する磁力線の変化を送信し、本の本体１０に配置されたコイルに磁力線の変化による電流を供給し、このコイルの両端に発生する交流電圧をダイオ−ドとキャパシタンスを用いて整流し、平滑することにより直流電圧を発生させ、この直流電圧を電源装置３２の代わりに電源として利用することができる。
【００２９】
なお、上記の聴覚情報の受信装置４０は図９に示したものに限定されず、例えば携帯電話でもよい。この場合、携帯電話を使用して本の本体１０の記憶装置３４に記憶された内容を聞くことができる。
聴覚情報部３０の聴覚情報を受信した携帯電話は、本の本体１０に関する情報を音声出力および画面表示としてユーザに提供することができる。特に、アイ・モードを搭載する携帯電話は受信電波からデータを抽出し、これをメールとして表示する機能を有するので、上記のデータ処理を容易に実現することができる。
【００３０】
さらに、携帯電話を使用して本の本体１０の記憶装置３４に記憶された内容を聞くことができる。携帯電話の電波受信機能を用いて音の出る本１の本体１０からのデータを受信し、音を聞きながら本の本体１０の視覚情報部２０の内容を深く理解する方法は、本発明の有力かつ現実的な利用方法である。したがって、本の本体１０は視覚と聴覚の両方から情報を提供するので、人の脳へは記憶されやすい情報を提供することができる。このため、本の本体１０は受験勉強を行う際に使用する本としても優れている。さらに、本の本体１０のページ１３を開くと、そのページ１３の内容を見て、さらに聴くこともできるので、通常の本を読む操作と同じ要領で多くの情報を手軽に得ることができる。
【図面の簡単な説明】
【００３１】
【図１】本発明の実施の形態に係る本のページを開いた状態を示す斜視図である。
【図２】図１の本の表紙を開いた状態を示す斜視図である。
【図３】図１の本の背表紙を開いた状態を示す斜視図である。
【図４】図１の本のページの変形例を示す部分図である。
【図５】図1から図４までの本の聴覚情報部のブロック図である。
【図６】図５の変形例のブロック図である。
【図７】前記聴覚情報部の太陽電池の特性を示すグラフである。
【図８】図５および図６の聴覚情報部の電源装置の一例を示す回路図である。
【図９】音声再生用の受信装置のブロック図である。
【符号の説明】
【００３２】
１  本
１０  本の本体
１０ａ  本の本体
１１  シート状体
１３  ページ
１４  表紙
１５  背表紙
２０  視覚情報部
２０ａ  視覚情報部
３０  聴覚情報部
３０ａ  聴覚情報部
３０ｘ  聴覚情報部
３１  光反応素子
３２  電源装置
３３  太陽電池
３４  記憶装置
３５  制御装置
３６  送信装置
【図１】
2008093889.tif 000003
【図２】
2008093889.tif 000004
【図３】
2008093889.tif 000005
【図４】
2008093889.tif 000006
【図５】
2008093889.tif 000007
【図６】
2008093889.tif 000008
【図７】
2008093889.tif 000009
【図８】
2008093889.tif 000010
【図９】
2008093889.tif 000011